(57)【要約】【課題】万一、受圧部材が内圧を受止められずに開閉機器から離脱しても、管路内の流体が外部に流出するのを自動的に防止することが可能な開閉装置を提供する。【解決手段】開閉機器３が弁４を介して管路１に設けられ、開閉機器３は内圧を受ける受圧部材１２を有し、弁４は、管路１と開閉機器３との間の流路を開閉するものであり、開閉を切換るための揺動自在な切換レバー２７を有し、受圧部材１２が内圧を受止められずに開閉機器３から離脱した際、受圧部材１２の離脱時の動きに連動して弁４の切換レバー２７を閉方向Ａへ切換える非常用切換手段２９が備えられている。【選択図】図１
2016125502.tif 000002
【特許請求の範囲】
【請求項１】
管路に設けられ、開閉機器と弁とを有する開閉装置であって、
開閉機器が弁を介して管路に設けられ、
開閉機器は内圧を受ける受圧部材を有し、
弁は、管路と開閉機器との間の流路を開閉するものであり、開閉を切り換えるための揺動自在な切換レバーを有し、
受圧部材が内圧を受け止められずに開閉機器から離脱した際、受圧部材の離脱時の動きに連動して弁の切換レバーを閉方向へ切り換える非常用切換手段が備えられていることを特徴とする開閉装置。
【請求項２】
受圧部材が開閉機器から離脱する方向と切換レバーの閉方向とが同方向であり、
非常用切換手段は、受圧部材又は受圧部材に設けられた部品と切換レバーとに接続された切換用索体からなることを特徴とする請求項１記載の開閉装置。
【請求項３】
非常用切換手段は、切換レバーを閉方向へ付勢する付勢部材と、付勢部材による付勢力に抗して切換レバーを開位置に固定する固定部材と、連動機構とを有し、
固定部材は切換レバーに対して係脱自在であり、
受圧部材が内圧を受け止められずに開閉機器から離脱した際、連動機構が、受圧部材の離脱時の動きに連動して、固定部材を切換レバーから離脱させることを特徴とする請求項１記載の開閉装置。
【発明の詳細な説明】
【技術分野】
【０００１】
本発明は、例えば水道管等の管路に設けられる開閉装置に関する。
【背景技術】
【０００２】
従来、この種の開閉装置としては、例えば図７に示すように、水道管１０１に設けられた空気弁１０２と補修弁１０３とからなるものがある。空気弁１０２は、弁箱１０４と、遊動弁体１０５と、フロート１０６と、上蓋部材１０７と、カバー１０８等を有している。上蓋部材１０７は複数のボルト１０９により弁箱１０４に取り付けられている。また、上蓋部材１０７には大空気孔１１０が形成され、遊動弁体１０５には小空気孔１１１が形成されている。
【０００３】
補修弁１０３は、水道管１０１と空気弁１０２との間に設けられたボール弁であり、弁箱１１２と、弁体１１３と、開閉を切り換えるための揺動自在な切換レバー１１４を有している。
【０００４】
これによると、通常時、補修弁１０３は切換レバー１１４により開状態に切り換えられている。また、水道管１０１内に充水し、充水が完了すると、図７の仮想線で示すように、フロート１０６が浮上して遊動弁体１０５が上昇し、大空気孔１１０が遊動弁体１０５で閉じられるとともに、小空気孔１１１がフロート１０６で閉じられる。この状態において、遊動弁体１０５は水道管１０１の内圧（水圧）によって上蓋部材１０７を上向きに押圧しており、上蓋部材１０７は遊動弁体１０５の上向きの押圧力を受け止めている。
【０００５】
尚、上記のような開閉装置は例えば下記特許文献１に記載されている。
【先行技術文献】
【特許文献】
【０００６】
【特許文献１】特開２０１４−１６９７０８
【発明の概要】
【発明が解決しようとする課題】
【０００７】
しかしながら上記の従来形式では、水道管１０１内の圧力が異常に上昇したり、或いは耐用年数を越えてボルト１０９が使用され、腐食によりボルト１０９の強度が低下し、このような状態で遊動弁体１０５の上向きの押圧力が上蓋部材１０７に作用した際、ボルト１０９が上記押圧力に耐えられずに損傷すると、図７の仮想線で示すように、上蓋部材１０７がカバー１０８と共に弁箱１０４から離脱して水圧で上方へ噴き上げられ、水道管１０１内の水が補修弁１０３を通って外部へ流出することが考えられる。
【０００８】
本発明は、万一、上蓋部材等の受圧部材が内圧を受け止められずに開閉機器から離脱しても、管路内の流体が外部に流出するのを自動的に防止することが可能な開閉装置を提供することを目的とする。
【課題を解決するための手段】
【０００９】
上記目的を達成するために、本第１発明は、管路に設けられ、開閉機器と弁とを有する開閉装置であって、
開閉機器が弁を介して管路に設けられ、
開閉機器は内圧を受ける受圧部材を有し、
弁は、管路と開閉機器との間の流路を開閉するものであり、開閉を切り換えるための揺動自在な切換レバーを有し、
受圧部材が内圧を受け止められずに開閉機器から離脱した際、受圧部材の離脱時の動きに連動して弁の切換レバーを閉方向へ切り換える非常用切換手段が備えられているものである。
【００１０】
これによると、通常時は、弁の切換レバーは開位置に切り換えられており、この状態で、管路内の圧力が異常に上昇したり或いは腐食等の発生により受圧部材が、内圧に耐えられなくなって、万一、開閉機器から離脱した場合、非常用切換手段により、弁の切換レバーが受圧部材の離脱時の動きに連動して開位置から閉方向へ切り換えられる。これにより、弁が自動的に閉じられ、管路内の流体が弁を通って外部へ流出するのを防止することができる。
【００１１】
本第２発明における開閉装置は、受圧部材が開閉機器から離脱する方向と切換レバーの閉方向とが同方向であり、
非常用切換手段は、受圧部材又は受圧部材に設けられた部品と切換レバーとに接続された切換用索体からなるものである。
【００１２】
これによると、受圧部材が内圧に耐えられなくなって、万一、開閉機器から離脱した場合、切換レバーは、切換用索体により受圧部材が離脱する方向へ引っ張られて、閉方向へ切り換えられる。これにより、弁が自動的に閉じられ、管路内の流体が弁を通って外部へ流出するのを防止することができる。
【００１３】
本第３発明における開閉装置は、非常用切換手段は、切換レバーを閉方向へ付勢する付勢部材と、付勢部材による付勢力に抗して切換レバーを開位置に固定する固定部材と、連動機構とを有し、
固定部材は切換レバーに対して係脱自在であり、
受圧部材が内圧を受け止められずに開閉機器から離脱した際、連動機構が、受圧部材の離脱時の動きに連動して、固定部材を切換レバーから離脱させるものである。
【００１４】
これによると、通常時は、弁の切換レバーは、開位置に切り換えられ、固定部材が切換レバーに係合することにより、開位置に固定されている。これにより、弁は開状態に保たれている。受圧部材が内圧に耐えられなくなって、万一、開閉機器から離脱した場合、連動機構が、受圧部材の離脱時の動きに連動して、固定部材を切換レバーから離脱させる。これにより、切換レバーの固定が解除され、切換レバーは付勢部材の付勢力によって閉方向へ切り換えられる。これにより、弁が自動的に閉じられ、管路内の流体が弁を通って外部へ流出するのを防止することができる。
【発明の効果】
【００１５】
以上のように本発明によると、万一、受圧部材が内圧に耐えられなくなって開閉機器から離脱する異常事態が発生した場合、非常用切換手段により、弁の切換レバーが受圧部材の離脱時の動きに連動して開位置から閉方向へ切り換えられる。これにより、弁が自動的に閉じられ、管路内の流体が弁を通って外部へ流出するのを防止することができる。
【図面の簡単な説明】
【００１６】
【図１】本発明の第１の実施の形態における開閉装置の断面図である。
【図２】同、開閉装置の一部切欠き斜視図である。
【図３】本発明の第１の実施の形態における開閉装置の正面図である。
【図４】同、開閉装置の断面図である。
【図５】同、開閉装置の非常用切換手段の一部切欠き側面図である。
【図６】図５におけるＸ−Ｘ矢視図である。
【図７】従来の開閉装置の断面図である。
【発明を実施するための形態】
【００１７】
以下、本発明における実施の形態を、図面を参照して説明する。
（第１の実施の形態）
第１の実施の形態では、図１，図２に示すように、１は地中に埋設された水道管路（管路の一例）であり、水道管路１には開閉装置２が設けられている。開閉装置２は、地中に形成されたピット（図示省略）内に設置されており、空気弁３（開閉機器の一例）と補修弁４（弁の一例）とを有している。ピットの上方にはマンホール等が設けられている。
【００１８】
空気弁３は、弁箱８と、弁箱８の内部に設けられた遊動弁体９とフロート１０と案内枠体１１と、弁箱８の上部に設けられた上蓋部材１２（受圧部材の一例）と、上蓋部材１２に設けられたカバー１３（受圧部材に設けられた部品の一例）等を有している。
【００１９】
上蓋部材１２は複数のボルト１５（締結部材の一例）により弁箱８に取り付けられている。また、上蓋部材１２には大空気孔１６が形成され、遊動弁体９には小空気孔１７が形成されている。遊動弁体９は上下方向へ移動することにより大空気孔１６を開閉し、フロート１０は上下方向へ移動することにより小空気孔１７を開閉する。
【００２０】
カバー１３は大空気孔１６の上方を覆っており、カバー１３と上蓋部材１２との間には、大空気孔１６と外部とに連通する連通空間１９が形成されている。
補修弁４は、空気弁３と水道管路１との間に取り付けられ、水道管路１と空気弁３との間の流路を開閉するボール弁であり、弁箱２５と、弁体２６と、開閉を切り換えるための揺動自在な切換レバー２７とを有している。補修弁４の開位置Ｏは切換レバー２７を水平方向にした位置に設定され、閉位置Ｓは切換レバー２７を鉛直方向にした位置に設定されており、切換レバー２７の閉方向Ａが上方向になっている。
【００２１】
開閉装置２には、上蓋部材１２が内圧を受け止められずに弁箱８から離脱して上方へ噴き上げられた際、上蓋部材１２の上方への移動に連動して切換レバー２７を閉方向Ａへ切り換える非常用切換手段２９が備えられている。非常用切換手段２９はワイヤー３０（切換用索体の一例）からなり、ワイヤー３０の一端がカバー１３の外端部に接続され、他端が切換レバー２７の先端部に接続されている。
【００２２】
以下、上記構成における作用を説明する。
通常時、補修弁４の切換レバー２７が開位置Ｏに切り換えられて補修弁４が開いており、この状態で水道管路１内に充水し、充水が完了すると、図１の仮想線で示すように、フロート１０が浮上して遊動弁体９が上昇し、大空気孔１６が遊動弁体９で閉じられるとともに、小空気孔１７がフロート１０で閉じられる。この状態において、遊動弁体９は水道管路１内の圧力（水圧）によって上蓋部材１２を上向きに押圧しており、上蓋部材１２は遊動弁体９の上向きの押圧力を受け止めている。
【００２３】
また、空気弁３内に空気が溜まると、フロート１０が自重によって降下し、小空気孔１７が開き、空気弁３内の空気が、小空気孔１７を通って連通空間１９を流れ、外部に排出される。これにより、空気弁３内の水面が上昇し、フロート１０が浮上して小空気孔１７がフロート１０で閉じられ、充水状態が維持される。
【００２４】
また、水道管路１内の圧力が異常に上昇したり、或いは、耐用年数を越えてボルト１５が使用され、腐食によりボルト１５の強度が低下した状態で、遊動弁体９の上向きの押圧力が上蓋部材１２に作用した際、ボルト１５が上記押圧力に耐えられずに損傷すると、図１の仮想線で示すように、上蓋部材１２がカバー１３と共に弁箱８から離脱して水圧で上方へ噴き上げられることが考えられる。このような異常事態が発生した際、切換レバー２７は、ワイヤー３０により上方向（受圧部材が離脱する方向）へ引っ張られて、閉方向Ａへ回動し、閉位置Ｓに切り換えられる。これにより、補修弁４が自動的に閉じられ、水道管路１内の水（流体の一例）が補修弁４を通って外部へ流出するのを防止することができる。
【００２５】
上記第１の実施の形態では、一本のワイヤー３０をカバー１３と切換レバー２７の先端部とに接続したが、複数本のワイヤー３０を用いてもよい。この場合、各ワイヤー３０の一端をカバー１３の異なる複数部位に接続し、各ワイヤー３０の他端を切換レバー２７の先端部に接続する。
【００２６】
上記第１の実施の形態では、切換用索体の一例としてワイヤー３０を用いたが、ワイヤー３０に限定されるものではなく、例えばチェンやロープ等を用いてもよい。
上記第１の実施の形態では、ワイヤー３０をカバー１３と切換レバー２７の先端部とに接続したが、ワイヤー３０の一端を上蓋部材１２に接続し、他端を切換レバー２７の先端部に接続しても、同様の効果が得られる。
【００２７】
（第２の実施の形態）
第２の実施の形態では、図３に示すように、補修弁４の開位置Ｏは切換レバー２７を水平面に対して６０°上向きに傾斜した位置に設定され、閉位置Ｓは切換レバー２７を水平面に対して３０°下向きに傾斜した位置に設定されている。
【００２８】
図３〜図６に示すように、非常用切換手段４１は、切換レバー２７を閉方向Ａへ付勢するウェイト４２（付勢部材の一例）と、ウェイト４２による付勢力に抗して切換レバー２７を開位置Ｏに固定する固定ピン４３（固定部材の一例）と、連動機構４４とを有している。固定ピン４３は切換レバー２７に対して係脱自在である。
【００２９】
万一、上蓋部材１２がカバー１３と共に弁箱８から離脱して水圧で上方へ噴き上げられる異常事態が発生した場合、連動機構４４が、上蓋部材１２の上方への移動に連動して、固定ピン４３を切換レバー２７から離脱させる。
【００３０】
固定ピン４３は、保持部材４６に、軸心方向にスライド自在に保持されている。保持部材４６は補修弁４の弁箱２５に設けられている。また、固定ピン４３の先端部は、切換レバー２７に形成された固定孔４７に対して、横方向から挿脱自在である。尚、保持部材４６内には、固定孔４７に挿入される方向（以下、挿入方向という）へ固定ピン４３を付勢するバネ４８（付勢具の一例）が設けられている。
【００３１】
連動機構４４は、ワイヤー５１（索体の一例）と、Ｌ形状のベルクランク５２と、連動部材５３と、ブラケット５４とを有している。ブラケット５４は、平面視においてコ字状の板材であり、保持部材４６に取付けられている。
【００３２】
連動部材５３は、短管状の部材であり、一端部が割ピン（図示省略）等によって固定ピン４３の基端部に接続され、他端部がブラケット５４に形成された貫通孔５５に挿通されてブラケット５４に保持されている。連動部材５３には、上下方向に貫通し且つ軸心方向に長い上下一対の長孔５６が形成されている。
【００３３】
ベルクランク５２は、支軸５７を介してブラケット５４に設けられ、支軸５７を中心に回動自在である。ワイヤー５１の一端がカバー１３の外端部に接続され、他端がベルクランク５２の一端５２ａに接続されている。また、ベルクランク５２の他端５２ｂは上方から連動部材５３の長孔５６に挿入されている。
【００３４】
以下、上記構成における作用を説明する。
通常時、図３の実線および図４に示すように、補修弁４の切換レバー２７は開位置Ｏに切り換えられ、固定ピン４３の先端部が切換レバー２７の固定孔４７に挿入され、これにより、切換レバー２７が開位置Ｏに固定されて、補修弁４が開いた状態に保たれている。
【００３５】
水道管路１内の圧力が異常に上昇したり、或いは、耐用年数を越えてボルト１５が使用され、腐食によりボルト１５の強度が低下し、ボルト１５が遊動弁体９の上向きの押圧力に耐えられずに損傷し、上蓋部材１２がカバー１３と共に弁箱８から離脱して水圧で上方へ噴き上げられるような異常事態が発生した際、ワイヤー３０が上方向（受圧部材が離脱する方向）へ引っ張られ、図５の仮想線で示すように、ベルクランク５２が支軸５７を中心に一方向Ｂへ回動し、ベルクランク５２の他端５２ｂが連動部材５３を脱抜方向Ｃへ移動させ、固定ピン４３の先端部がバネ４８の付勢力に抗して切換レバー２７の固定孔４７から脱抜される。これにより、切換レバー２７の固定が解除され、ウェイト４２の付勢力によって切換レバー２７が開位置Ｏから閉方向Ａへ回動し、図３の仮想線で示すように、閉位置Ｓに切り換えられる。これにより、補修弁４が自動的に閉じられ、水道管路１内の水が補修弁４を通って外部へ流出するのを防止することができる。
【００３６】
上記第２の実施の形態では、一本のワイヤー５１をカバー１３とベルクランク５２の一端５２ａとに接続したが、複数本のワイヤー５１を用いてもよい。この場合、各ワイヤー５１の一端をカバー１３の異なる複数部位に接続し、各ワイヤー５１の他端をベルクランク５２の一端５２ａに接続する。
【００３７】
上記第２の実施の形態では、索体の一例としてワイヤー５１を用いたが、ワイヤー５１に限定されるものではなく、例えばチェンやロープ等を用いてもよい。
上記第２の実施の形態では、ワイヤー５１をカバー１３とベルクランク５２の一端５２ａとに接続したが、ワイヤー５１の一端を上蓋部材１２に接続し、他端をベルクランク５２の一端５２ａに接続しても、同様の効果が得られる。
【００３８】
上記第１および第２の実施の形態では、開閉機器の一例として空気弁３を挙げたが、空気弁３に限定されるものではなく、例えば消火栓等であってもよい。例えばボール式消火栓の場合、弁箱に設けられた上蓋が受圧部材に相当する。また、空気弁３と水道管路１との間に、ボール弁形式の補修弁４を設けたが、バタフライ弁等を設けてもよい。
【符号の説明】
【００３９】
１      水道管路
２      開閉装置
３      空気弁（開閉機器）
４      補修弁
１２    上蓋部材（受圧部材）
１３    カバー（受圧部材に設けられた部品）
２７    切換レバー
２９    非常用切換手段
３０    ワイヤー（切換用索体）
４１    非常用切換手段
４２    ウエイト（付勢部材）
４３    固定ピン（固定部材）
４４    連動機構
Ａ      閉方向
Ｏ      開位置
【図１】
2016125502.tif 000003
【図２】
2016125502.tif 000004
【図３】
2016125502.tif 000005
【図４】
2016125502.tif 000006
【図５】
2016125502.tif 000007
【図６】
2016125502.tif 000008
【図７】
2016125502.tif 000009